(57)【特許請求の範囲】
【請求項１】
一次回路の通電状態を、二次回路に接続され、かつ、該二次回路からの制御信号により動作するリレー装置のオン動作で確保するように構成された電気部品が機体内に設けられてなる画像形成装置において、上記リレー装置のオン操作を、上記二次回路とは別の機外電源回路からの電力供給により行うためのコネクタが設けられていることを特徴とする画像形成装置。
【請求項２】
上記コネクタは、機体外部に位置した上記機外電源回路のコネクタが接続可能な機体の適所に設けられていることを特徴とする請求項１記載の画像形成装置。
【請求項３】
一次回路の通電状態を、二次回路に接続され、かつ、該二次回路からの制御信号により動作するリレー装置のオン動作で確保するように構成された電気部品が機体内に設けられてなる画像形成装置の検査方法において、上記リレー装置のオン操作を、上記二次回路とは別の機外電源回路からの電力供給により上記リレー装置をオン動作させた状態で、高電圧を印加する耐圧検査器の対向電極の一方を上記一次回路側に接続するとともに、同他方を機体に接続して高電圧を印加し、対向電極間の通電状態を検出することによって一次回路と機体との間の短絡の有無を検出することを特徴とする画像形成装置の検査方法。
【請求項４】
上記機外電源回路に、上記リレー装置への電力供給が行われたことを表示する表示手段を設けることを特徴とする請求項３記載の画像形成装置の検査方法。
【発明の詳細な説明】
【０００１】
【発明の属する技術分野】
本発明は、複写機、ファクシミリあるいはプリンタ等の画像形成装置およびその検査方法に関するものである。
【０００２】
【従来の技術】
複写機、ファクシミリあるいはプリンタ等の画像形成装置は、箱型のケーシングに各種の機械機器や電気機器が内装されて形成され、製造工程の最終段階で各種の製品検査が実行されて合格品のみが出荷されるが、上記製品検査の中に耐圧検査がある。この耐圧検査は、装置内の一次回路（例えば１００ボルトの商用電源が使用される回路）に短絡した個所が存在するか否かを調べるものであり、略１０００ボルトの電圧を付与し得る耐圧検査器を用いて行われる。
【０００３】
すなわち、この耐圧検査器から引き出された一対の端子の一方を、ケーシングから引き出されたリード線の先端に付設されているプラグの端子に接続する一方、耐圧検査器の他方の端子をケーシングの適所に接続し、これらに１０００ボルトの電圧を印加するのである。耐圧検査器には、表示部が設けられており、高電圧を印加した状態で短絡個所が存在するとそのことが表示されるようになっている。
【０００４】
ところで、上記一次回路中には現像処理用のヒータが存在する。このヒータは、転写用紙におけるトナーによる転写画像を定着させるために用いられる加熱ローラに内装されているものであって、ケーシング内の二次回路に設けられたリレー装置の動作によって商用電源からの電力が供給されるようになっており、普段機械の電源が切られているときリレー装置はオフ状態になっている。従って、耐圧検査を行うに際しては、リレー装置の接点をオン状態に設定して一次回路内に非導通個所が存在しないようにする必要があるが、検査中は二次回路に電力が供給されないため、従来、外部から所定の治具を差し込んでリレーの接点を押圧してリレー装置をオン状態に設定し、この状態で耐圧検査が行われていた。
【０００５】
【発明が解決しようとする課題】
しかしながら、上記のように治具を用いてリレーの接点を押圧するようなリレー装置のオン状態の現出は非常に不安定であり、果たしてリレー装置が確実にオン状態になっているのか否かについては不安要素が残り、従って、耐圧検査の結果が信頼性の点で問題があるという不都合が存在した。
【０００６】
本発明は、上記のような問題点を解消するためになされたものであり、検査結果に高い信頼性が存在する確実な耐圧試験を行い得るように構成された画像形成装置およびその検査方法を提供することを目的としている。
【０００７】
【課題を解決するための手段】
請求項１記載の発明は、一次回路の通電状態を、二次回路に接続され、かつ、該二次回路からの制御信号により動作するリレー装置のオン動作で確保するように構成された電気部品が機体内に設けられてなる画像形成装置において、上記リレー装置のオン操作を、上記二次回路とは別の機外電源回路からの電力供給により行うためのコネクタが設けられていることを特徴とするものである。
【０００８】
この発明によれば、機体側のコネクタに、機外電源回路側のコネクタを接続することにより、二次回路側からの電力供給がなくてもリレー装置にオン動作を行わせて機内の一次回路を通電可能状態にすることができるため、この状態で高電圧を印加する所定の耐圧検査器の対向電極の一方を上記一次回路側に接続するとともに、同他方を機体に接続して高電圧を印加し、対向電極間の通電状態を検出することによって一次回路と機体との間の短絡の有無を検出する検査を実行することができる。
【０００９】
このように、機外電源回路からの電力供給でリレー装置を動作させるようにしているため、リレー装置の接点の接続を、所定の治具を用いて機外から機械的に行う従来の方法に比べてリレー装置のオン動作を容易かつ確実に行うことが可能になり、検査結果の信頼性が向上する。
【００１０】
なお、この発明において、コネクタとは、電気的な接続治具であるが、単に電線の先端部の被覆がめくられたいわゆる裸電線もコネクタの概念に含まれる。すなわち、かかる裸電線同士は、互いに結線することで両者が電気的に接続されるからである。
【００１１】
請求項２記載の発明は、請求項１記載の画像形成装置において、上記コネクタは、機体外部に位置した上記機外電源回路のコネクタが接続可能な機体の適所に設けられていることを特徴とするものである。
【００１２】
この発明によれば、機外電源回路側のコネクタを、機体側のコネクタに容易に接続させることが可能になり、検査の迅速化に貢献する。
【００１３】
請求項３記載の発明は、一次回路の通電状態を、二次回路に接続され、かつ、該二次回路からの制御信号により動作するリレー装置のオン動作で確保するように構成された電気部品が機体内に設けられてなる画像形成装置の検査方法において、上記リレー装置のオン操作を、上記二次回路とは別の機外電源回路からの電力供給により上記リレー装置をオン動作させた状態で、高電圧を印加する耐圧検査器の対向電極の一方を上記一次回路側に接続するとともに、同他方を機体に接続して高電圧を印加し、対向電極間の通電状態を検出することによって一次回路と機体との間の短絡の有無を検出することを特徴とするものである。
【００１４】
この発明によれば、請求項１の発明と同様の作用効果が得られる。
【００１５】
請求項４記載の発明は、請求項３記載の発明において、上記機外電源回路に、上記リレー装置への電力供給が行われたことを表示する表示手段を設けることを特徴とするものである。
【００１６】
この発明によれば、表示手段の表示を視認することで、リレー装置に機外電源回路からの電力が正常に供給されたか否かを確認することが可能になる。
【００１７】
【発明の実施の形態】
図１は、本発明に係る画像形成装置の全体構成の一実施形態を示す側面視の説明図である。なお、この実施形態においては、画像形成装置としてディジタル複写機１を挙げている。図１に示すように、ディジタル複写機１は、箱型のケーシング（機体）２の底部に配設された給紙機構１０と、この給紙機構１０の上方に配設された用紙搬送機構２０と、この用紙搬送機構２０の上方に配設された画像形成機構３０と、この画像形成機構３０よりも排出側に配設された定着装置４０と、これらの画像形成機構３０および定着装置４０の上方に配設された画像読取装置（スキャナ）５０および露光装置３３と、複写機全体の動作を制御する制御装置６０とを備えて構成されている。
【００１８】
給紙機構１０は、積層された転写用紙Ｐ１の束を収納する給紙カセット１１と、給紙カセット１１の出口上方に設けられ円弧状外周部を有する給紙ローラ１２と、転写用紙Ｐ１の束を給紙ローラ１２側に押し上げるためのコイルスプリング１３と、給紙カセット１１の幅方向両端上部にそれぞれ設けられたさばき爪１５とを備えている。給紙カセット１１は、転写用紙Ｐ１のサイズに応じて複数種類が用意されている。本実施形態においては、Ａ４サイズの用紙用、Ａ３サイズの用紙用、Ｂ５サイズの用紙用およびＢ４サイズの用紙用の４種類の給紙カセット１１が採用されている。
【００１９】
また、給紙機構１０は、装置に内装される給紙カセット１１とは別に装置のケーシングから外部に突出した手差しトレー１１′を有している。この手差しトレー１１′は、原稿用紙Ｐ２のサイズに応じてそれと同一サイズの原稿用紙Ｐ２が装填され得るようにフレキシブルに構成されている。かかる手差しトレー１１′は、給紙カセット１１に設けられているのと同様の給紙ローラを有しているとともに、先端側が後述する搬送ローラ対２２対に臨んでいる。
【００２０】
給紙ローラ１２を所定方向に回転させると、円弧状外周部が最上部の転写用紙Ｐ１に当接し、その回転動作によって転写用紙Ｐ１を図１中右側に送り出す。このとき、転写用紙Ｐ１の紙束はさばき爪１５によってさばかれ、最上部に位置する転写用紙Ｐ１のみが１枚ずつ確実に用紙搬送機構２０に供給される。
【００２１】
用紙搬送機構２０は、給紙機構１０から供給された転写用紙Ｐ１の搬送方向を反転するための反転ガイド２１と、反転ガイド２１により搬送方向が反転された転写用紙Ｐ１を図１中左側に搬送するための搬送ローラ対２２と、搬送されてきた転写用紙Ｐ１の幅方向に先端をそろえるとともに、後述する感光体ドラム３１の回転に合わせてトナー像の転写開始のタイミングをはかるためのレジストローラ対２３と、レジストローラ対２３から感光体ドラム３１および転写装置３５が対向する転写位置まで転写用紙Ｐ１を正確に搬送するための転写ガイド２７と、表面にトナー像が転写された転写用紙Ｐ１を定着装置４０に搬送するための搬送ガイド２４と、定着装置４０によりトナー像が定着され、画像形成がなされた転写用紙を排出トレイ２６上に排出するための排出ローラ対２５と、レジストローラ対２３の上方のローラと同心で設けられたレジストスイッチ２８とを備えて構成されている。
【００２２】
レジストスイッチ２８は、転写用紙Ｐ１がレジストローラ対２３に供給されたことを検出するためのものであり、この検出結果に基づいて以後の転写用紙Ｐ１の移動と同期させるタイミング制御が行われながら以下に詳述する画像読取装置５０、画像形成機構３０および定着装置４０が駆動されることになる。
【００２３】
レジストローラ対２３は、搬送ローラ対２２によって送り込まれた転写用紙Ｐ１が到達するまでその回転を停止しており、転写用紙Ｐ１の先端部が、レジストローラ対２３に当接することにより搬送時の歪みが矯正され、幅方向の先端が揃えられる。感光体ドラム３１の外周面上における露光位置とトナー像の転写位置との間の距離とレジストローラ対２３から転写位置までの距離はほぼ等しくなるように設定されている。転写用紙Ｐ１の先端が幅方向に亘って揃えられると、レジストローラ対２３の駆動と露光装置３３による感光体ドラム３１の表面への露光とがほぼ同時に開始される。感光体ドラム３１上に形成されるトナー像の先端とレジストローラ対２３により搬送される転写用紙Ｐ１の先端とがほぼ同時に転写位置に到達するので、転写用紙Ｐ１上にほとんど隙間なくトナー像が転写される。
【００２４】
画像形成機構３０は、電子写真プロセスによって、転写用紙Ｐ１上に所定のトナー像を形成するものであり、回転可能に軸支されドラムの表面に光導電性物質が塗布された感光体ドラム３１と、感光体ドラム３１を所定方向に所定速度で回転させる感光体ドラム駆動装置３８と、感光体ドラム３１の表面に所定の電位を与える（所定の電荷を均一にチャージする）ための帯電装置３２と、原稿用紙Ｐ２の画像に対応して感光体ドラム３１の表面を選択的に露光することにより感光体ドラム３１の表面に静電潜像を形成するための露光装置３３と、感光体ドラム３１の表面に選択的にトナーを付着させることにより、感光体ドラム３１の表面に形成された静電潜像を現像する現像装置３４と、感光体ドラム３１上の現像されたトナー像を転写用紙Ｐ１の表面に転写する転写装置３５と、感光体ドラム３１の表面に残留するトナーを除去（清掃）するためのクリーナ３６と、感光体ドラム３１の表面の電荷を除去するための除電装置３７と、トナー像の転写後、転写用紙に帯電した電荷を除去するための除電ブラシ３９とを備えて構成されている。
【００２５】
上記帯電装置３２は、後述する露光位置に対して感光体ドラム３１の回転方向の上流側において、感光体ドラム３１の表面に対して所定距離を隔てて対向するように設けられており、高電圧が印加されコロナ放電を発生させるためのワイヤーと、所定の電圧（例えば＋８５０Ｖ）が印加されるグリッドを備え、このワイヤーおよびグリッドによって感光体ドラム３１の表面に所定電位を与える。
【００２６】
上記露光装置３３は、レーザ発振器３３１と、レーザ発振器３３１から出力されたレーザビームを反射するための回転多面体であるポリゴンミラー３３２と、ポリゴンミラー３３２により反射されたレーザビームの歪みを補正するためのｆθレンズ３３４と、ポリゴンミラー３３２により反射された光を感光体ドラム３１の露光位置に再反射するためのミラー３３３とを備えている。レーザ発振器３３１は、後述する画像読取装置５０によって読み取られた原稿の画像データに基づいてレーザビームを出力するようになっている。ポリゴンミラー３３２は、所定方向に一定速度で回転しており、レーザ発振器３３１から出力されたレーザビームを反射するミラー面の角度が刻々変化することにより、レーザビームを感光体ドラム３１の幅方向に走査させるようになっている。
【００２７】
上記感光体ドラム３１は、例えばアルミ等のドラムの外周面に有機感光体（ＯＰＣ：Ｏｒｇａｎｉｃ  Ｐｈｏｔｏ−Ｃｏｎｄｕｃｔｉｖｅ）材料等の光導電性材料の膜を塗布したものであり、未露光状態では、帯電装置３２により一定の表面電位（例えば＋８００Ｖ）となるように、＋の電荷がチャージされている。この状態で、露光装置３３により感光体ドラム３１の表面が選択的に露光されると、表面に塗布された光導電性材料の光電効果により、露光された部分の電位が低下する。すなわち、感光体ドラム３１の表面に静電潜像が形成される。
【００２８】
上記現像装置３４は、上記露光位置に対して感光体ドラム３１の回転方向の下流側において、感光体ドラム３１の表面に対して所定距離を隔てて対向するように設けられ、所定量のトナーを保持するとともに、トナーを例えば＋の電荷に帯電させるようになっている。感光体ドラム３１の表面に形成された静電潜像部分が現像装置３４に接近すると、現像装置３４から感光体ドラム３１の表面にトナーが付着し、これによって感光体ドラム３１の表面上にトナー像が形成される（すなわち静電潜像が現像される）ことになる。
【００２９】
上記転写装置３５は、感光体ドラム３１と転写装置３５との間に転写用紙Ｐ１が搬送されてきてもなお隙間が生じるように、感光体ドラム３１の表面に対して所定距離を隔てて対向するように設けられており、感光体ドラム３１の表面電位とは逆極性の転写電流を流すことにより、感光体ドラム３１と転写装置３５との間に介在する転写用紙Ｐ１にトナーを付着させるようになっている。この付着によって感光体ドラム３１の表面上のトナー像が転写用紙Ｐ１に転写されることになる。
【００３０】
上記クリーナ３６は、感光体ドラム３１の表面に対して接触するように設けられ、転写装置３５による転写用紙Ｐ１へのトナー像の転写後でもなお感光体ドラム３１の表面上に残留しているトナーを除去するものである。
【００３１】
上記除電装置３７は、クリーナ３６に対して感光体ドラム３１の回転方向の下流側で、かつ帯電器３２に対して上流側に設けられており、感光体ドラム３１の表面に残留している電荷を除去するものである。
【００３２】
上記定着装置４０は、画像形成機構３０によりトナー像が転写された転写用紙Ｐ１に対して、加熱ローラ４１および加圧ローラ４２により加熱および加圧を行い、転写用紙Ｐ１上にトナー像を定着させるものである。加熱ローラ４１には、ニクロム線等の通電発熱体からなるヒータ４３が内装されており、このヒータ４３に商用電力が供給されることによって加熱ローラ４１が昇温されるようになっている。
【００３３】
上記画像読取装置５０は、原稿台を兼ねるコンタクトガラス５１と、コンタクトガラス５１上に載置された原稿用紙Ｐ２の原稿面を内側から照明する露光ランプ５２と、被写体である原稿用紙Ｐ２の像をＣＣＤラインセンサ等の光電変換素子５６上に結像するための撮像レンズ５７と、原稿用紙Ｐ２と光電変換素子５６とを結ぶ撮像レンズ５７の光軸を屈折反射させるためのミラー５３、５４、５５と、コンタクトガラス５１上の原稿用紙Ｐ２を図１中左端から右端に向かって走査するために、露光ランプ５２とミラー５３およびミラー５４と５５をそれぞれ移動速度が２対１となるように移動空間５８中を移動させる走査機構（図示せず）とを備えて構成されている。
【００３４】
コンタクトガラス５１上に載置された原稿用紙Ｐ２のうち、露光ランプ５２で照明される一定の幅の領域の像が撮像レンズ５７により光電変換素子５６上に結像されており、両者は光学的に共役な関係となっている。走査機構により露光ランプ５２およびミラー５３が第１速度で図１中左端から右端に向かって走査を開始されると、原稿用紙Ｐ２から光電変換素子５６間での光路長を一定とするべく、同時にミラー５４と５５が一体となって第１速度の１／２の第２速度で図１中左端から右端に向かって走査される。その結果、コンタクトガラス５１上に載置された原稿用紙Ｐ２の全面を走査することができ、原稿用紙Ｐ２全面の画像を読み取ることができる。
【００３５】
図２は、上記のようなディジタル複写機１のケーシング２内の配線の短絡有無検査に視点を当てた場合の回路構成の一実施形態を示す説明図である。この図に示すように、ケーシング２内には、商用電源からの例えば１００ボルトの電力を得て加熱ローラ４１を加熱するヒータ４３やその他の機器４４を備えた一次回路３と、この一次回路３内のヒータ４３の運転制御においてリレー装置６の開閉を行ったり、機器４４との間の信号の授受を行う二次回路４とが設けられている。
【００３６】
上記一次回路３からはケーシング２を貫通してリード線３ａが外部に引き出され、このリード線３ａの先端に設けられた接続プラグ３ｂの一対の接続端子３ｃを図略の商用電源のコンセントに差し込んで接続することにより、一次回路３に電力が供給されるようになっている。かかる一次回路３には、ヒータ４３および駆動機器４４に対して電力供給および遮断のためのスイッチング動作を行うリレー装置６が設けられている。
【００３７】
上記二次回路４は、一次回路３からの電力を図略の整流器等の電気部品４ｂを介して供給されることにより機能するようになっている。かかる二次回路４は、機器４４等との間で信号の授受を行ってディジタル複写機１を制御する制御装置６０を備えた制御回路４ａを有している。
【００３８】
上記リレー装置６は、一次回路３に電力を供給するメイン配線における分断された対向端部に形成された二対の固定接点６１と、これら二対の固定接点６１に対向配置された一対の移動接点６２と、消磁および励磁によって移動接点６２を二対の固定接点６１に対して離接させることによりメイン配線を開閉するリレーコイル６３とを備えて構成され、制御回路４ａからの図略の制御信号がリレーコイル６３に供給されることによる移動接点６２の各固定接点６１への当接によって一次回路３に電力が供給される一方、上記制御信号が発せられないことによる移動接点６２の固定接点６１からの離間によって一次回路３への電力供給が遮断されるようになっている。
【００３９】
かかるリレー装置６が設けられるのは以下の理由による。すなわち、ケーシング２の正面には、給紙カセット１１の入れ換え用やケーシング２内部の保守点検用に図略の開閉扉が設けられているが、この開閉扉を開けると、ヒータ４３によって高温に加熱された加熱ローラ４１が開口部に臨んだ状態になっているため、ヒータ４３への電力供給を遮断してかかる加熱ローラ４１の加熱を中止させるためである。このためにケーシング２の適所には開閉扉が開放されたことを検出する図略のセンサが設けられ、このセンサが開閉扉の開放を検出することによって制御回路４ａからのリレーコイル６３に向かう制御信号の出力が停止され、これによる移動接点６２の固定接点６１からの離間によって一次回路３への電力供給が遮断される。
【００４０】
そして、このような一次回路３がケーシング２に対して短絡しているか否かが、ディジタル複写機１の出荷前に耐圧検査器７によって検査される。かかる検査が行われるのは、ディジタル複写機１の製造工程における一次回路３の配線敷設作業の際に、配線がケーシング２に固定された各種の金属部材の間に噛み込まれ、これによって配線の被覆が損傷している場合があり、被覆の損傷で一次回路３がケーシング２に短絡している場合があるため、かかる不都合を出荷前に調べるためである。
【００４１】
上記耐圧検査器７は、高い電圧（本実施形態においては略１０００ボルト）を一次回路３の配線とケーシング２とに印加し、耐圧検査器７内の所定の回路に電流が流れるか否かを検出するものである。かかる検査の結果、電流を検出しなかったときには「ＯＫ」のランプが点灯して絶縁良好と判定される一方、電流が検出されたときには「ＮＯ」のランプが点灯して絶縁不良個所が存在すると判定され、製造工程に送り返される。
【００４２】
かかる耐圧検査器７には、検査用の一対の引出し線７１が設けられているとともに、各引出し線７１の先端部にはクリップ等からなる検査端子７２が付設され、一方の検査端子７２が接続プラグ３ｂの一対の接続端子３ｃに接続されるとともに、他方の検査端子７２が他方の接続端子３ｃに接続されることにより、耐圧検査器７からの高電圧がケーシング２および一次回路３に印加され得るようにしている。
【００４３】
また、かかる耐圧検査器７には電流計７３が設けられ、ケーシング２および一次回路３間に短絡個所が存在する場合の電流値を表示するようになっている。この電流値の表示を視認することによって短絡の程度を判別し得るようになっている。
【００４４】
そして、製造工程でディジタル複写機１の短絡有無の検査を行うときには、一次回路３に対してディジタル複写機１を運転するための電力が供給されないため、一次回路３から電力を得るようになっている制御回路４ａからの制御信号がリレー装置６のリレーコイル６３に供給されない。従って、移動接点６２は固定接点６１に対して開いた状態になっているため、たとえ耐圧検査器７からの高電圧をケーシング２と一次回路３とに印加しても、一方の検査端子７２が接続されている接続端子３ｃと、この接続端子３ｃにつながった配線の先端側に設けられたリレー装置６の固定接点６１との間についてのみ一次回路３とケーシング２との間についての短絡有無を検出し得るだけであり、一次回路３全体についての短絡有無を検査することができない。
【００４５】
そこで、従来は、リレー装置６の移動接点６２を所定の治具を用いて強制的に固定接点６１に向けて押圧し、これによる一対の移動接点６２の二対の固定接点６１に対する強制当接によって一次回路３の全配線に耐圧検査器７からの高電圧を行き渡らせるようにしていたが、本発明は、かかる面倒でかつ信頼性の乏しい操作を行うことなく確実にリレー装置６をオン状態にすることができる機外電源回路８を用いるようにしている。
【００４６】
上記機外電源回路８は、直流電源８１と、この直流電源８１に直列に接続されたチェッカー回路８２と、スイッチ８３と、雄プラグ（コネクタ）８４とからなっている。チェッカー回路８２は、機外電源回路８に電流が流れたか否かを判別するものであり、各種の電気部品に加えて電流計８２ａが設けられている。この電流計８２ａが検出した電流値は所定の表示器によって表示されるようになっている。
【００４７】
雄プラグ８４は、機外電源回路８を上記リレーコイル６３に接続して直流電源８１の電力をリレーコイル６３に供給するものであり、一対の機外端子８４ａを有している一方、上記ケーシング２には雄プラグ８４に対応した雌プラグ（コネクタ）２ａが設けられている。
【００４８】
この雌プラグ２ａは、その接続面を外部に露出させた状態で内側からケーシング２の壁面に固定され、機外端子８４ａを雌プラグ２ａの接続孔に差し込むことにより、雌プラグ２ａの機内端子２ｂと雄プラグ８４の機外端子８４ａとが互いに接続され、これによって直流電源８１の電力がリレーコイル６３に供給され得るようになっている。
【００４９】
上記スイッチ８３は、雄プラグ８４が雌プラグ２ａに接続された状態でオン・オフ操作を行うことによって直流電源８１からの電力のリレーコイル６３に対する供給・遮断を行うものである。従って、雄プラグ８４を雌プラグ２ａに接続した状態でスイッチ８３を入れることにより、直流電源８１からの電力がリレーコイル６３に供給され、これの励磁による一対の移動接点６２の２対の固定接点６１への当接によって一次回路３が全体的に通電可能状態になる。
【００５０】
そして、本発明においては、上記のような機外電源回路８が用いられて一次回路３の絶縁状態が検査される。以下、本発明の検査方法について説明する。検査に当っては、まず、耐圧検査器７の検査端子７２の一方がケーシング２の適所に接続されるとともに、検査端子７２の他方が一次回路３の接続プラグ３ｂの一対の接続端子３ｃに接続される。
【００５１】
ついで雄プラグ８４が雌プラグ２ａに接続されたのち機外電源回路８のスイッチ８３がオン操作される。こうすることによって直流電源８１の電力が雄プラグ８４および雌プラグ２ａを介してリレーコイル６３に供給され、これによるリレーコイル６３の励磁で移動接点６２が固定接点６１に接続されて一次回路３は検査待機状態になる。この場合、チェッカー回路８２の電流計８２ａの検出値を視認することによってリレーコイル６３に適正に電力が供給されているか否かを確認することができる。
【００５２】
引き続き、耐圧検査器７を操作して引出し線７１および検査端子７２を介してケーシング２および一次回路３に高電圧を印加する。そして、もしケーシング２と一次回路３との間に短絡が存在すれば、電流計７３が電流を検出するとともに、「ＮＯ」のランプが点灯するため、これらを視認することによって一次回路３のいずれかの部分がケーシング２に短絡していることを知ることができる。逆に電流計７３が電流を検出せず、かつ、「ＯＫ」ランプが点灯することによって一次回路３の絶縁状態が良好なことを知ることができる。
【００５３】
本発明は、以上詳述したように、一次回路３の通電状態を二次回路４に接続されたリレー装置６のオン動作で確保するように構成されてなるディジタル複写機１であり、リレー装置６のオン操作を、二次回路４とは別の機外電源回路８からの電力供給により行うための雌プラグ２ａがケーシング２に設けられてなるものであるため、ケーシング２側の雌プラグ２ａに、機外電源回路８側の雄プラグ８４を接続することにより、二次回路４側からの制御信号がなくてもリレー装置６にオン動作を行わせてケーシング２内の一次回路３を通電可能状態にすることができるため、この状態で耐圧検査器７の一対の検査端子７２の一方を一次回路３の接続プラグ３ｂの一方の接続端子３ｃに接続するとともに、他方の検査端子７２をケーシング２に接続して高電圧を印加し、ケーシング２および一次回路３間の通電状態を電流計７３によって検出することにより、一次回路３とケーシング２との間の短絡の有無を検査することができる。
【００５４】
このように、機外電源回路８からの電力供給でリレー装置６を動作させるようにしているため、リレー装置６の接点の接続を、所定の治具を用いて機外から機械的に行う従来の方法に比べてリレー装置６のオン動作を容易かつ確実に行うことが可能になり、検査結果の信頼性が向上する。
【００５５】
また、二次回路４の雌プラグ２ａを、その接続面が外部に臨むようにケーシング２の内側に設けているため、機外電源回路８の雄プラグ８４を、ケーシング２の雌プラグ２ａに容易に接続させることが可能になり、検査の迅速化に貢献することができる。
【００５６】
さらに、機外電源回路８に、リレー装置６への電力供給が行われたことを表示するための電流計８２ａを設けたため、電流計８２ａの表示を視認することで、リレー装置６に機外電源回路８からの電力が正常に供給された否かを確認することができ、常に信頼性に富んだ検査を実行することが可能になる。
【００５７】
【発明の効果】
請求項１および３記載の発明によれば、機体側のコネクタに、機外電源回路側のコネクタを接続することにより、二次回路側からの制御信号がなくてもリレー装置にオン動作を行わせて機内の一次回路を通電可能状態にすることができるため、この状態で高電圧を印加する所定の耐圧検査器の対向電極の一方を一次回路側に接続するとともに、同他方を機体に接続して高電圧を印加し、対向電極間の通電状態を検出することによって一次回路と機体との間の短絡の有無を検出する検査を実行することができる。
【００５８】
このように、機外電源回路からの電力供給でリレー装置を動作させるようにしているため、リレー装置の接点の接続を、所定の治具を用いて機外から機械的に行う従来の方法に比べてリレー装置のオン動作を容易かつ確実に行うことが可能になり、検査結果を信頼性に富んだものにすることができる。
【００５９】
請求項２記載の発明によれば、機体側のコネクタを、機体外部に位置した機外電源回路側のコネクタが接続可能な機体の適所に設けたため、機外電源回路側のコネクタを、機体側のコネクタに容易に接続させることが可能になり、検査の迅速化に貢献することができる。
【００６０】
請求項４記載の発明によれば、機外電源回路に、リレー装置への電力供給が行われたことを表示する表示手段を設けたため、表示手段の表示を視認することで、リレー装置に機外電源回路からの電力が正常に供給された否かを確認することができ、信頼性に富んだ検査結果を得る上で有効である。
【図面の簡単な説明】
【図１】本発明に係る画像形成装置の全体構成の一実施形態を示す側面視の説明図である。
【図２】ディジタル複写機のケーシング内の配線の短絡有無検査に視点を当てた場合の回路構成の一実施形態を示す説明図である。
【符号の説明】
１  ディジタル複写機        ２  ケーシング
２ａ  雌プラグ              ２ｂ  機内端子
３  一次回路                ３ａ  リード線
３ｂ  接続プラグ
３ｃ  接続端子              ４ａ  制御回路
４  二次回路                ６  リレー装置
７  耐圧検査器              ８  機外電源回路
１０  給紙機構              １１  トレー
１１  給紙カセット          １２  給紙ローラ
１３  コイルスプリング      １５  さばき爪
２０  用紙搬送機構          ２１  反転ガイド
２２  搬送ローラ対
２３  レジストローラ対      ２４  搬送ガイド
２５  排出ローラ対          ２６  排出トレイ
２７  転写ガイド
２８  レジストスイッチ      ３０  画像形成機構
３１  感光体ドラム          ３２  帯電器
３３  露光装置
３３２  ポリゴンミラー
３３３  ミラー              ３３４  レンズ
３４  現像装置              ３５  転写装置
３６  クリーナ              ３７  除電装置
３８  感光体ドラム駆動装置  ３９  除電ブラシ
４０  上記定着装置          ４０  定着装置
４１  加熱ローラ            ４２  加圧ローラ
４３  ヒータ                ４４  駆動機器
５０  画像読取装置
５１  コンタクトガラス      ５２  露光ランプ
５３，５４  ミラー          ５６  光電変換素子
５７  撮像レンズ            ５８  移動空間
６０  制御装置              ６１  固定接点
６２  移動接点              ６３  リレーコイル
７１  引出し線              ７２  検査端子
７２  接続端子              ７３  電流計
８１  直流電源              ８２  チェッカー回路
８２ａ  電流計              ８３  スイッチ
８４ａ  機外端子            ８４  雄プラグ
３３１  レーザ発振器        Ｐ１  転写用紙
Ｐ２  原稿用紙
【図１】
0003597768.tif 000002
【図２】
0003597768.tif 000003